(57)【特許請求の範囲】
【請求項１】
床面に複数のポールを互いに離間させて立設し、隣接するポール間を上下に離間する横フレームで連結し、該両横フレーム間に閉塞部材を取付ける方法であって、前記ポールに上端から下端まで連続する係合溝を外周に形成し、隣接するポールの各係合溝に先ず下方横フレームを取付け、続いて各係合溝に縦フレームをその下端部が該下方横フレームに当接するように挿入し、その後、上方横フレームが縦フレームの上端に当接するまで各係合溝に挿入してポールに取付け、しかる後に上下横フレーム間または左右の縦フレーム間に、あるいは両方に前記閉塞部材の端縁を形着させたことを特徴とする閉塞部材取付方法。
【請求項２】
床面に立設した隣接するポール間に、上下に離間する横フレームを連結した閉塞部材支持体に布状の閉塞部材を取付ける閉塞部材の取付装置であって、前記ポールには上端から下端まで連続する係合溝が形成され、該係合溝に係止している縦フレームの上下端に、同じく係合溝に係止している前記上下の横フレームがそれぞれ当接し、前記横フレームに設けた係止条に前記閉塞部材の端縁を係止すると共に、該横フレームに装脱可能なカバー部材が前記閉塞部材の係止条からの脱落を防ぐように取り付けられて、前記上下横フレーム間に前記閉塞部材が形着されていることを特徴とする閉塞部材の取付装置。
【請求項３】
前記縦フレームに閉塞部材形着のための取付部が形成されている請求項２に記載の閉塞部材の取付装置。
【請求項４】
前記縦フレームが合成樹脂で形成されている請求項２または３に記載の閉塞部材の取付装置。
【請求項５】
前記係合溝がポールに複数設けられている請求項２ないし４の何れかに記載の閉塞部材の取付装置。
【請求項６】
前記上下横フレームを曲線状にして、閉塞部材を曲面に形成した請求項２ないし５の何れかに記載の閉塞部材の取付装置。
【発明の詳細な説明】
【０００１】
【発明の属する技術分野】
本発明は、床面に複数のポールを互いに離間させて立設し、隣接するポール間を上下に離間する横フレームで連結し、該両横フレーム間に閉塞部材を取付ける方法、及び床面に立設した隣接するポール間に、上下に離間する横フレームを連結した閉塞部材支持体に閉塞部材を取付ける閉塞部材の取付装置に関する。
【０００２】
【従来の技術】
ポール間に閉塞部材を取付ける方法として、従来、上下の横フレームに閉塞部材を取り付けておき、両横フレームを一方のポールに取り付けた後、他方のポールに横フレームを取付けるようにしたものが知られているが、閉塞部材を交換するには両ポールから横フレームの係合を解いて外さなければならず、作業に時間と労力を要するものであった。このような事態を回避するために、一方のポールに上下の横フレームを取付、閉塞部材を横フレームの長手方向に沿って挿入した後、他方のポールと横フレームとを取付けるようにしたものがある。しかしながらこの取付方法も、閉塞部材の交換に際しては、一方のポールだけは横フレームから取りはずさなければならず、やはり交換作業に手間取るものであった。
【０００３】
そこで、隣り合うポールとその隣接するポール間を上下に離間する横フレームで連結し、その後で閉塞部材を取付けるようにしたものが近年用いられるようになっている。
【０００４】
【発明が解決しようとする課題】
しかしながら、横フレームをポールに取り付けるのに、閉塞部材の縦寸法に合わせて平行に取り付けないと後で閉塞部材を横フレームに取り付けるときに取付寸法が合わない事態が生じることがあった。そのため横フレームの取付には時間と熟練を要していた。また、閉塞部材を横フレーム以外でも形着できるようにした閉塞部材の取付装置が望まれていた。
【０００５】
本発明は上記課題を解決するためになされたもので、ポールに対する横フレームの位置合わせを正確に且つ短時間で行うことができる閉塞部材取付方法、及び正確に位置決めされた横フレームに閉塞部材を形着できる閉塞部材の取付装置を提供することを目的としている。
【０００６】
【課題を解決するための手段】
上記目的を達成するために、本発明の閉塞部材取付方法は、床面に複数のポールを互いに離間させて立設し、隣接するポール間を上下に離間する横フレームで連結し、該両横フレーム間に閉塞部材を取付ける方法であって、前記ポールに上端から下端まで連続する係合溝を外周に形成し、隣接するポールの各係合溝に先ず下方横フレームを取付け、続いて各係合溝に縦フレームをその下端部が該下方横フレームに当接するように挿入し、その後、上方横フレームが縦フレームの上端に当接するまで各係合溝に挿入してポールに取付け、しかる後に上下横フレーム間または左右の縦フレーム間に、あるいは両方に前記閉塞部材の端縁を形着させたことを特徴としている。
この特徴によれば、閉塞部材の寸法に合わせた縦フレームをポールの係合溝に落とし込むだけで上方の横フレームの取付位置が規定されるので、閉塞部材取付のための枠組みが正確に形成される。
【０００７】
本発明の閉塞部材の取付装置は、床面に立設した隣接するポール間に、上下に離間する横フレームを連結した閉塞部材支持体に布状の閉塞部材を取付ける閉塞部材の取付装置であって、前記ポールには上端から下端まで連続する係合溝が形成され、該係合溝に係止している縦フレームの上下端に、同じく係合溝に係止している前記上下の横フレームがそれぞれ当接し、前記横フレームに設けた係止条に前記閉塞部材の端縁を係止すると共に、該横フレームに装脱可能なカバー部材が前記閉塞部材の係止条からの脱落を防ぐように取り付けられて、前記上下横フレーム間に前記閉塞部材が形着されていることを特徴としている。
この特徴によれば、縦フレームによって正確に位置決めされた横フレームに閉塞部材を形着させることができる。また、閉塞部材の取付枠の構築作業が楽である。しかも閉塞部材は横フレームの係止条に係止しているだけでなく、カバー部材により閉塞部材の係止条からの脱落が防止されているので、閉塞部材に外力が掛かっても横フレームから外れる虞がない。更に、横フレームのところに埃等が貯まるのも防げる。
【０００８】
本発明の閉塞部材の取付装置は、前記縦フレームに閉塞部材形着のための取付部が形成されていることが好ましい。
このようにすると、閉塞部材は縦フレーム側にも取り付けることが可能となり、閉塞部材の取付箇所の自由度が広がる。
【０００９】
本発明の閉塞部材の取付装置は、前記縦フレームが合成樹脂で形成されているのが好ましい。
このようにすると、縦フレームが樹脂で形成されているので、軽量で複雑なポールの係合溝にも容易に合わせることができる。
【００１０】
本発明の閉塞部材の取付装置は、前記係合溝がポールに複数設けられていることが好ましい。
このようにすると、複数のポールに連続して閉塞部材を取り付けることができる。また係合溝に什器等を取り付けることも可能である。
【００１１】
本発明の閉塞部材の取付装置は、前記上下横フレームを曲線状にして、閉塞部材を曲面に形成することが好ましい。
このようにすると、直線的に配置できないような個所でも対応可能な変化に富んだ閉鎖仕切体と成り得る。
【００１２】
【発明の実施の形態】
以下、本発明の実施例を図面に基づいて説明すると、まず図１は本発明の取付方法によりポール間に閉塞部材が取り付けられた閉鎖仕切体の斜視図であり、図２はポールと上下横フレームの分解斜視図であり、図３はポールと横フレームを連結固定した状態の断面図である。
【００１３】
図１において、２つのポール１，１は床２に設置されたベース体３に自立しており、ポール１に取り付けた上下の横フレーム（図２の符号６，７で示す）が閉塞部材４を支持し、カバー部材５が両横フレームを覆っている。閉塞部材４は上下横フレームがポール１，１に連結固定された後に取り付けられる。
【００１４】
ポール１に上下の横フレーム６、７を連結する方法を図２、図３に基づいて説明する。両横フレームもポール１に対する取付は同じなので、上方の横フレーム７についてのみ説明する。ポール１には円周に外側部が若干拡がった略Ｕ字状の複数個の溝部１ａが上下方向に延びており、各溝部１ａの外方を向く開口１ｂの左右両側に、遊端が互いに向き合って離間する左右の係止片１ｃにより溝部１ａの一部が覆われている。
【００１５】
８は溝部１ａの一つと上下方向に摺動係合できるクランプ材であり、中央部にねじ９と螺合可能な雌ねじ部８ａが刻設されている。横フレーム７の端部７ａとクランプ材８の間に止着部材１０が配置され、この止着部材１０の横フレーム７側には円筒状突起部１０ａが、横フレーム７の端部７ａに形成した突起受容部７ｂに嵌入係合できるように突出している。
【００１６】
横フレーム７をポール１に連結するには、先ず止着部１０の円筒状突起部１０ａを横フレーム７の端部７ａに形成した突起受容部７ｂに嵌入係合させ、ねじ９を突起受容部７ｂ側から挿入し、止着部材１０とクランプ材８との間に僅かな隙間（ポールの係止片１ｃが通過可能な隙間）が形成される程度に緩く締めつける。その後、クランプ材８と一体になった横フレーム７を上方からクランプ材８が溝部１ａと摺動係合するように下方に降ろし、横フレーム７の取付位置まで降下させたところで、ねじ９でクランプ材８を締め上げる。
【００１７】
ねじ８が締め上げられることにより、図３に示すように、クランプ材８が止着部材１０側に、止着部材１０がねじ頭部９ａによりクランプ材７側に押圧され、クランプ材８と止着部材１０は溝部１ａの左右の係止片１ｃを挟持することになる。このようにして横フレーム７はポール１に連結固定される。横フレーム７のポール１に対する向きは、突起受容部７ｂが正面に向く必要はなく、裏面側を向いていても構わない。この場合、閉塞部材４は裏面側から取り付けられる。
【００１８】
次に、閉塞部材４を取付ける前に、左右のポール１，１に上下の横フレーム６，７を取付ける手順について図２により説明する。床の上に設置されたベース体３，３に自立させたポール１，１間に、先ず下方横フレーム６を前記した方法で取付ける。下方横フレーム６をねじ９で固着した後、縦フレーム１２，１２を各ポール１の溝部１ａに溝部上方から挿入する。
【００１９】
縦フレーム１２は可撓性のある合成樹脂で構成されており、溝部１ａに挿入される縦フレーム１２の挿入部１２ａは係止片１ｃに向かって押し開くように弾性負荷されている。このため縦フレーム１２は横向きの、例えば矢印Ｚ方向に引っ張っても溝部１ａから抜け出ることはない。また、この縦フレーム１２は縦方向に荷重がかかっても容易には座屈しないような構造となっている。更に、この縦フレーム１２は、図示していないが、その側面側に閉塞部体を係止できるような形状に構成しておくこともできる。
【００２０】
各々のポール１，１に縦フレーム１２、１２が挿入された後、上方の横フレーム７が縦フレーム１２の上端に接するようにしてポール１に連結固定される。縦フレーム１２の縦方向の長さは上方の横フレーム７がポール１に取り付けられたとき、丁度閉塞部材４が正確に支持されるように予め設定されている。それ故、下方横フレーム６をポールに取り付けた後、縦フレーム１２を溝部１ａに落とし込むだけで自動的に上方の横フレーム７の高さ位置が決まるので、閉塞部材４の取付枠の構築作業が楽である。
【００２１】
このようにして、閉塞部材４の取付枠、即ち、２本の縦フレーム１２，１２と上下の横フレーム６，７から成る閉塞部材支持体が構築された後、閉塞部材４がこの支持体に取り付けられる。図４，図５は閉塞部材４の取付方法の一例を示したもので、図４は横フレームに閉塞部材４を取付ける前の状態を示した説明図であり、図５は横フレームに閉塞部材４を取付けた後の状態を示した説明図である。
【００２２】
図４に示すように閉塞部材４は布材で構成され、上下両端は被係止部となるクロスクリップ１３が挿入できるように断面リング状の袋とじ４ａに形成されている。このクロスクリップ１３は断面コ字状で樹脂で成形されており、横フレーム６，７に一体形成されている長手方向に延びた係止条６ｃ、７ｃと嵌合する弾性変形可能な指部１３ａが形成されている。
【００２３】
閉塞部材４の取付手順は、最初、閉塞部材４の両端部の袋とじ４ａにクロスクリップ１３をそれぞれ挿入し、次に、閉塞部材４の閉塞面に垂直な図４の矢印Ｘに示す方向に閉塞部材４の両端部を係止条６ｃ、７ｃに向けて押圧すると、クロスクリップ１３の弾性変形可能な指部１３ａが外方に拡径した後、図５に示すように、係止条６ｃ、７ｃの頭部を抱持する。これにより閉塞部材４は２本の上下横フレーム６，７に取り付けられる。
【００２４】
上下の横フレーム６、７に閉塞部材４を取り付けた後、カバー部材５を横フレーム６に対して矢印Ｙ方向に押圧することで、図５に示すように係止条６ｃ、７ｃと閉塞部材４の端部が覆われるようにしてカバー部材５が横フレーム６、７に取り付けられる。このとき、カバー部材５に形成した２本の係止爪５ａが横フレーム６、７の突起受容部６ｂ、７ｂの端部溝６ｂ’、７ｂ’と係止する。このようにカバー部材５を設けることで、係止条６ｃ、７ｃからクロスクリップ１３が脱落するのが防げ、かつ横フレーム６、７のところに埃等が貯まるのが防げる。
【００２５】
閉塞部材４を交換あるいは分解する場合には、取付手順と逆に、カバー部材５を逆Ｙ方向に引っ張り係止爪５ａを端部溝６ｂ’、７ｂ’から係止爪５ａの可撓性を利用して外し、その後、クロスクリップ１３を逆Ｘ方向に引っ張って係止条６ｃ、７ｃから外せばよい。このように横フレーム６、７は一切分解せずに閉塞部材４の装脱ができる。
【００２６】
閉塞部材４の取付は横フレームでなく、例えば図６に示すように、縦フレーム１２’に取付けるようにしてもよい。この場合、合成樹脂製の縦フレーム１２’に係合突起１２’ａ（取付部）を複数設け、閉塞部材側にこの係合突起１２’ａと嵌合する受容凹部を形成しておく。また、閉塞部材４の取付変形例とし、上下横フレームと左右の縦フレームのすべてに取付けるようにすることも可能である。
【００２７】
このように、本発明の閉塞部材の取付装置においては、縦フレーム１２によって正確に位置決めされた横フレームに閉塞部材を形着させることができるので、閉塞部材の取付が楽に行える。
【００２８】
以上、本発明の実施例を図面により説明してきたが、具体的な構成はこれら実施例に限られるものではなく、例えば、ポールに形成した複数の溝部の使用していないところに、小テーブルのごとき什器を取り付けることも可能である。また、横フレームは直線状に形成されているもので説明したが、例えば、横フレームを曲線状（円弧状も含む）に形成したものであってもよい。これにより、直線的に配置できないような個所でも対応可能な閉鎖仕切体として提供できる。更に、本実施例においては、２つのポールに閉塞部材を取付ける例しか示さなかったが、複数のポールを並べ連続的あるいは間欠的に閉塞部材を取付けるようにしてもよい。
【００２９】
【発明の効果】
本発明によれば、次のような効果を奏することができる。
【００３０】
（ａ）請求項１に記載の発明によれば、閉塞部材の寸法に合わせた縦フレームをポールの係合溝に落とし込むだけで上方の横フレームの取付位置が規定されるので、閉塞部材取付のための枠組みが正確に形成される。
【００３１】
（ｂ）請求項２に記載の発明によれば、縦フレームによって正確に位置決めされた横フレームに閉塞部材を形着させることができる。また、閉塞部材の取付枠の構築作業が楽である。しかも閉塞部材は横フレームの係止条に係止しているだけでなく、カバー部材により閉塞部材の係止条からの脱落が防止されているので、閉塞部材に外力が掛かっても横フレームから外れる虞がない。更に、横フレームのところに埃等が貯まるのも防げる。
【００３２】
（ｃ）請求項３に記載の発明によれば、閉塞部材は縦フレーム側にも取り付けることが可能となり、閉塞部材の取付箇所の自由度が広がる。
【００３３】
（ｄ）請求項４に記載の発明によれば、縦フレームが樹脂で形成されているので、軽量で複雑なポールの係合溝にも容易に合わせることができる。
【００３４】
（ｅ）請求項５に記載の発明によれば、複数のポールに連続して閉塞部材を取り付けることができる。また係合溝に什器等を取り付けることも可能である。
【００３５】
（ｆ）請求項６に記載の発明によれば、直線的に配置できないような個所でも対応可能な変化に富んだ閉鎖仕切体と成り得る。
【図面の簡単な説明】
【図１】本発明の取付方法によりポール間に閉塞部材が取り付けられた閉鎖仕切体の斜視図である。
【図２】ポールと上下横フレームの分解斜視図である。
【図３】ポールと横フレームを連結固定した状態の断面図である。
【図４】横フレームに閉塞部材４を取付ける前の状態を示した説明図である。
【図５】横フレームに閉塞部材４を取付けた後の状態を示した説明図である。
【図６】閉塞部材を縦フレームに取り付けた本発明の他の実施例を示した閉鎖仕切体の斜視図である。
【符号の説明】
１                        ポール
１ａ                      溝部
１ｂ                      開口
１ｃ                      係止片
２                        床
３                        ベース体
４                        閉塞部材
４ａ                      袋とじ
５                        カバー部材
５ａ                      係止爪
６                        下方の横フレーム
６ｂ                      突起受容部
６ｂ’                    端部溝
６ｃ                      係止条
７                        上方の横フレーム
７ａ                      端部
７ｂ                      突起受容部
７ｂ’                    端部溝
７ｃ                      係止条
８                        クランプ部材
８ａ                      雌ねじ部
９                        ねじ
９ａ                      頭部
１０                      止着部材
１０ａ                    円筒状突起部
１２，１２’              縦フレーム
１２ａ                    挿入部
１２’ａ                  係合突起（取付部）
１３                      クロスクリップ
１３ａ                    指部
【図１】
0003914027.tif 000002
【図２】
0003914027.tif 000003
【図３】
0003914027.tif 000004
【図４】
0003914027.tif 000005
【図５】
0003914027.tif 000006
【図６】
0003914027.tif 000007